(57)【要約】      （修正有）【課題】通信販売やネット販売の宅配荷物の配達時代を背景にふさわしい複数の多機能装置を備えた留守でも配達のできる多機能装置搭載宅配ロッカーを提供する。【解決手段】多機能装置搭載宅配ロッカー１０００は、内部に複数の荷物収容部１００１、１００２を有し、かつ、扉１００５を有する。少なくとも１つの荷物収容部１００２は、冷却装置１００３により冷却可能となっている。多機能装置搭載宅配ロッカー１０００は外面に、バーコードリーダー１００４を有し、バーコードリーダー１００４が、配達される荷物に貼ってあるバーコード情報を読み取り、バーコードに記載されている運送会社や配達会社と配達荷物と送り主情報を確認することにより、扉１００５を開扉できるようになっている。【選択図】図３
0003212821.tif 000002
【実用新案登録請求の範囲】
【請求項１】
内部に複数の荷物収容部を有し、かつ、扉を有する多機能装置搭載宅配ロッカーであって、荷物収容部のうち少なくとも１つが、冷却装置により冷却可能となっており、外面にバーコードリーダーを有し、該バーコードリーダーが、配達される荷物に貼ってあるバーコード情報を読み取り、バーコードに記載されている運送会社や配達会社と配達荷物と送り主情報を確認することにより、開扉できるようになっていることを特徴とする多機能装置搭載宅配ロッカー。
【請求項２】
屋根部に、折り畳み式の太陽パネル発電装置、ドローンの着陸のできる夜光塗料パネル及び／又は荷物の受け取ることのできる籠を有する請求項１に記載の多機能装置搭載宅配ロッカー。
【請求項３】
普通電源、カードリーダー、音声・マイク装置及び／又は防犯用カメラを備える請求項１又は請求項２に記載の多機能装置搭載宅配ロッカー。
【請求項４】
集合住宅用又は大型マンション用である請求項１ないし請求項３の何れかの請求項に記載の多機能装置搭載宅配ロッカー。
【請求項５】
ゴルフバッグのような大型荷物を配達可能な請求項１ないし請求項４の何れかの請求項に記載の多機能装置搭載宅配ロッカー。
【請求項６】
請求項１ないし請求項５の何れかの請求項に記載の多機能装置搭載宅配ロッカーと、室内用の宅配用電源ボックスとを有する多機能装置搭載宅配ロッカーシステムであって、該多機能装置搭載宅配ロッカーの冷却可能な荷物収容部が普段は上記冷却装置のスイッチを切っておくことにより通常荷物用にも使用可能であり、該多機能装置搭載宅配ロッカーが、使用中であるか否かを示すランプやパネルを有しており、該宅配用電源ボックスが、ＡＩ音声マイク、スピーカー及び該冷却装置のスイッチを有していることを特徴とする多機能装置搭載宅配ロッカーシステム。
【考案の詳細な説明】
【技術分野】
【０００１】
本考案の多機能装置搭載宅配ロッカーは、普通電源、太陽パネル発電装置、バーコードリーダー、カードリーダー、冷却装置、マイク・スピーカー、防犯カメラ等を備え、宅配荷物に貼ってあるバーコード情報やカード情報を読み取ることができ、外部情報源と接続可能な室内用ＡＩ音声マイクスピーカーと電源スイッチボックスの通信受送信システムを備え、通常の宅配荷物（通常荷物）と、冷凍食品等の保冷荷物の両方の配達ができる多機能装置搭載宅配ロッカーシステムである。
【背景技術】
【０００２】
従来の駅前、コンビニ、公共施設等に設置されている宅配ロッカーもあるが、有料ロッカーには冷凍食品等の配達荷物のできない宅配ロッカーもあり、さらに、市販されている宅配ロッカーは普段は扉を誰でも開けることができ防犯やセキュリティーに向いてない宅配ロッカーが大半である、といった問題点がある。
そして、これからは冷凍食品等の配達もできる多機能装置搭載宅配ロッカーが必要な時期に来ている。
【０００３】
近年、宅配便や荷物の配達は通信販売やネット販売で宅配荷物の宅配ロッカーが販売されているが、さらに、ドローンで配達荷物を届けるシステム等が紹介されている。日本は地震大国であり、災害地や緊急時の避難者への向けての支援物資や生鮮食品の配達ができるドローンによる荷物の配達が必要な時期に来ている。
【考案の概要】
【考案が解決しようとする課題】
【０００４】
本考案は上記背景技術に鑑みてなされたものであり、その課題は、上記のようなセキュリティーの問題を解決できる；冷凍食品等の保冷荷物の配達にも使用できる；災害時等にドローンによる荷物の配達ができる；等の特長を備えた多機能装置搭載宅配ロッカーを提供することにある。
【課題を解決するための手段】
【０００５】
本考案者は、上記の課題を解決すべく鋭意検討を重ねた結果、宅配ロッカーを下記の構成とすることにより、上記課題を解決することができることを見出して、本考案を完成するに至った。
【０００６】
本１考案は、上記従来の技術の課題を解決するために、多機能装置搭載宅配ロッカーには普通の宅配荷物の宅配ロッカーと別に電子冷凍機部搭載のペルチェ効果の半導体ヒートキャリーの冷却装置を備えた冷凍庫宅配ロッカー、バーコードリーダー、カードリーダー、防犯用カメラ、を搭載し、家の中の室内用電源ボックスＡＩ音声認識マイクと冷凍庫の電源スイッチを備え、運送会社が配達する荷物に貼ってあるバーコード情報等を読み取り、運送会社と配達会社と配達荷物の送り主を確認の上、配達人は宅配荷物か冷凍食品かを判断して冷凍食品の場合は冷却装置搭載ローカーのスイッチに切り替えて宅配荷物と冷凍食品の配達ができる多機能装置搭載宅配ロッカーシステムである。
【０００７】
本第２考案は、上記従来技術の課題を解決するために、多機能装置搭載宅配ロッカーには普通電源と太陽パネル発電装置、ドローンの着陸パネル、電源、冷凍庫、バーコードリーダー、カードリーダー、感知センサー、防犯ビデオカメラを備え、セキュリティー機能と室内用電源ボックスにＡＩ音声認識マイクスピーカーを備えた、多機能装置搭載宅配ロッカーである。
【０００８】
本第３考案は、本第１考案、第２考案の宅配ロッカーと冷却装置搭載宅配ロッカーにおいて、バーコードリーダーは運送会社と配達会社を確認するため荷物に貼ってあるバーコード情報を読取り運送会社、配達会社、配達荷物を確認の上、運送会社が発行するバーコード記載カードやバーコード情報で扉を開けて宅配荷物と冷凍食品の配達ができる多機能装置搭載宅配ロッカーである。
【０００９】
すなわち、本考案は、内部に複数の荷物収容部を有し、かつ、扉を有する多機能装置搭載宅配ロッカーであって、荷物収容部のうち少なくとも１つが、冷却装置により冷却可能となっており、外面にバーコードリーダーを有し、該バーコードリーダーが、配達される荷物に貼ってあるバーコード情報を読み取り、バーコードに記載されている運送会社や配達会社と配達荷物と送り主情報を確認することにより、開扉できるようになっていることを特徴とする多機能装置搭載宅配ロッカーを提供するものである。
【００１０】
また、本考案は、屋根部に、折り畳み式の太陽パネル発電装置、ドローンの着陸のできる夜光塗料パネル及び／又は荷物の受け取ることのできる籠を有する上記の多機能装置搭載宅配ロッカーを提供するものである。
【００１１】
また、本考案は、普通電源、カードリーダー、音声・マイク装置及び／又は防犯用カメラを備える上記の多機能装置搭載宅配ロッカーを提供するものである。
【００１２】
また、本考案は、集合住宅用又は大型マンション用である上記の多機能装置搭載宅配ロッカーを提供するものである。
【００１３】
また、本考案は、ゴルフバッグのような大型荷物を配達可能な上記の多機能装置搭載宅配ロッカーを提供するものである。
【００１４】
また、本考案は、上記の多機能装置搭載宅配ロッカーと、室内用の宅配用電源ボックスとを有する多機能装置搭載宅配ロッカーシステムであって、該多機能装置搭載宅配ロッカーの冷却可能な荷物収容部が普段は上記冷却装置のスイッチを切っておくことにより通常荷物用にも使用可能であり、該多機能装置搭載宅配ロッカーが、使用中であるか否かを示すランプやパネルを有しており、該宅配用電源ボックスが、ＡＩ音声マイク、スピーカー及び該冷却装置のスイッチを有していることを特徴とする多機能装置搭載宅配ロッカーシステムを提供するものである。
【考案の効果】
【００１５】
本考案によれば、セキュリティーの問題を解決できる；冷凍食品等の保冷荷物の配達にも使用できる；災害時等にドローンによる荷物の配達ができる；配達人と受取人がバーコード記載カード、スマートフォン、携帯電話により、部屋番号で開けて配達荷物を受け取ることができる；等の特長を備えた多機能装置搭載宅配ロッカーを提供することができる。
【００１６】
本考案によれば、配達人は、受取人が留守のときであっても、荷物を受取人の家に届ける（受取人に受け取らせる）ことができる。その際に、配達人の便宜が図れ、受取人にとっても便利であり、配達荷物について盗難等のセキュリティーの問題もない。
また、例えば、子供が遊んでいてロッカーの中に入ってしまうと言う危険性もなく、配達人以外の人が物をロッカー中に入れることも防げると言った意味でのセキュリティーにも優れている。
【００１７】
本考案の多機能装置搭載宅配ロッカーは、太陽光パネル発電装置や宅配荷物と冷凍食品の配達ロッカーの他にも、防犯を高めるために感知センサー付き防犯用カメラを備えることもできる。
【００１８】
本考案多機能装置搭載宅配ロッカーにおいて、冷凍食品等の保冷荷物を入れる冷却装置搭載冷凍庫ロッカーは、荷物の重さで自動的に電源が入るシステムとすることができる。普段は電源を切って宅配ロッカーとして宅配荷物を入れることもできる。
【００１９】
本考案の構成により、運送会社の再配達の減少とトラック等の燃料や人件費の負担を減少することができる。また、本考案の多機能装置搭載宅配ロッカーは、屋根部に、折り畳み式の太陽パネル発電装置、ドローンが着陸のできる夜光塗料パネルを備えることができ、災害時の荷物の配達や離島への荷物の配達等に効果を発揮する。
【図面の簡単な説明】
【００２０】
【図１】本考案の実施形態を示す概略図である。
【図２】本考案の実施形態を示す概略図である。
【図３】本考案の多機能装置搭載宅配ロッカーの具体例を示す図である。        （ａ）閉扉状態        （ｂ）開扉状態
【考案を実施するための形態】
【００２１】
以下、本考案について説明するが、本考案は以下の実施の形態に限定されるものではなく、任意に変形して実施することができる。
【００２２】
本考案の実施形態を図に基づいて説明する。図１及び図２は、本考案の多機能装置搭載宅配ロッカー、すなわち、宅配荷物と冷凍食品の配達のできる宅配ロッカーシステム概略図である。
【００２３】
インターフェース装置１００には、１０１を動作するのに一時記憶場所であるＣＰＵ動作メモリシステム１１０や書き換え可能な記憶場所であるフラッシュメモリＲＯＭ１１２を備える。
【００２４】
多機能装置搭載宅配ロッカーの小型電子冷蔵庫ロッカー１２には、ペルチェ効果を利用する半導体ヒートキャリー及び温度調整器１３を有する電子冷凍機が設置され、その冷却部は前記冷蔵部１２の箇体に放熱部１５は多数のフィン及び冷却ファン１４により形成された小型冷凍庫宅配ロッカー１２、宅配荷物ロッカー１９、バーコードリーダー２、カードリーダー３、音声マイク６、電源は普通電源と太陽パネル発電装置９の電源を備え、通信インターフェース１００は、外部情報源と電話回線、高速回線と電波回線により外部情報源と室内用宅配電源ボックスにＡＩ音声マイクスピーカー装置と電源スイッチ１６、送受信可能な送受信器１と接続する送受信インターフェース１０１を備える。送受信した画像、データは、ＣＰＵ１１０を経由し、Ｄ／Ａ交換するコンバーター１０７に出力される。感知センサー６とビデオカメラ４及び受信側の画像は防犯用ビデオカメラインターフェース１０４、ＣＰＵ１１０、送受信インター１００を得て、通信回線により外部情報源に送信される。送受信器１は、電波の受信可能である。
【００２５】
通信インターフェース装置１００には、運送会社が発行するカードや配達荷物を読み取るためのバーコードリ―ダーインターフェース１０２を備え、運送会社が配達荷物に貼ってあるバーコード２０を読み取り宅配ロッカーを開けて荷物を入れことができる。宅配荷物の受取人はバーコード２０記載カードやスマートフォン、携帯電話番号や受取ＡＩ音声認識マイク１６で配達荷物の受け取ることができる。
【００２６】
冷却装置搭載宅配ロッカー１２は、配達担当者が冷凍食品等の保冷荷物と判断するか、バーコードリーダー２で配達荷物に貼ってあるバーコード２０を読み取り通常の宅配荷物か冷凍食品等の保冷荷物かを読取り、冷凍食品等の保冷荷物は、冷却装置搭載宅配ロッカーに配達を可能としている。
【００２７】
人感知センサー５は、宅配ロッカーの前に来ると感知センサーと防犯用カメラ４が作動し、自宅のビデオレコーダ１０４に録画や室内の宅配スイッチモニター画面に接続し、セキュリティー用防犯カメラとしても利用ができる。
【００２８】
宅配荷物ロッカーと冷凍庫ロッカーの使用中は多機能装置搭載宅配ボックスに備えているランプや家の中の室内用ＡＩ音声・マイクとスイッチボックス１６のランプが点滅し、宅配荷物や冷却装置搭載宅配ロッカーの荷物の配達を知らせることができる。室内用スイッチボックスと別に冷却装置搭載宅配ロッカーの中に電源スイッチを備えており、配達員がスイッチを切って普通の宅配荷物の配達もできる。
【００２９】
宅配ロッカーの電源は普通電源と及び太陽パネル電源１０を利用でき、太陽パネルはドローンの配達荷物の発着として利用でき、太陽パネル電源は停電の時や災害時の時の電源として利用が可能である。
【００３０】
通信インターフェース装置１００は音声マイクに接続し、室内の宅配ボックスのＡＩマイクとスピーカースイッチボックス１６と接続可能である。
【００３１】
冷凍装置搭載宅配ロッカーにおいて、通信インターフェース１００とバーコードリーダーインターフェース１０２は宅配荷物の受け取る時の受取人はバコードカードやＡＩ音声認識マイクスピーカーインターフェース１０９に登録し、宅配ロッカーと冷凍装置ロッカーを開けて配達荷物を受け取ることもできる。
【００３２】
本考案の多機能装置搭載宅配ロッカーは、市販用の小型冷蔵庫を予備として宅配ロッカー内の電源１３に接続し、小型冷蔵庫を備えることもできる。
【００３３】
図３に、本考案の多機能装置搭載宅配ロッカーの具体例を示す（なお、図３に示した多機能装置搭載宅配ロッカーはあくまで一例であり、本考案は、図３の形状・構造に限定されるものではない）。
【００３４】
図３（ａ）に示すように、本考案の多機能装置搭載宅配ロッカー１０００は、扉１００５を有し、外面にバーコードリーダー１００４を有する。バーコードリーダー１００４が、配達される荷物に貼ってあるバーコード情報を読み取り、バーコードに記載されている運送会社や配達会社と配達荷物と送り主情報を確認することによって、扉１００５が開扉されるようになっている。
【００３５】
図３（ｂ）に示すように、本考案の多機能装置搭載宅配ロッカー１０００は、内部に複数の荷物収容部１００１、１００２を有している。このうち、荷物収容部１００２は、冷却装置（例えば、ペルチェ効果の半導体ヒートキャリーの冷却装置）１００３により冷却可能であるが、冷却装置１００３を冷却しない状態で、通常荷物（保冷荷物ではない荷物）の宅配に使用することもできる。
【産業上の利用可能性】
【００３６】
本考案の多機能装置搭載宅配ロッカーは、セキュリティーに優れ、保冷荷物の配達にも使用できるので、戸建住宅、マンション、アパート用の宅配ロッカーとして、利用されるものである。
【符号の説明】
【００３７】
１：送受信器
２：バーコードリーダー
３：カードリーダー
４：防犯カメラ
５：各種センサー
６：音声マイク
７：各種カード
８：電源ソケット・スイッチ
９：太陽パネル発電装置
１０：電話回線接続装置
１１：使用ランプ赤・青
１２：冷凍庫装置宅配ロッカー（ベルチャー方式冷蔵庫及びその他冷却装置）
１３：温度調整器
１４：冷却フィン
１５：放熱部
１６：室内用電源ボックス、ＡＩ音声マイクとスピーカー及び電源スイッチ
１７：自動扉システム装置
１８：ドローン用着陸パネル荷物受取籠装置
１９：宅配荷物ロッカー
２０：バーコード
１００：通信インターフェース装置
１０１：送受信インターフェース
１０２：バーコードインターフェース
１０３：カードリーダインターフェース
１０４：防犯カメラインターフェース
１０５：各種センサーインターフェース
１０６：コンバーター
１０７：入力インターフェース
１０８：太陽パネル発電インターフェース
１０９：ＡＩ音声認識マイクスピーカーインターフェース
１０００：多機能装置搭載宅配ロッカー
１００１：荷物収容部（通常荷物用）
１００２：荷物収容部（保冷荷物用）
１００３：冷却装置
１００４：バーコードリーダー
１００５：扉
【図１】
0003212821.tif 000003
【図２】
0003212821.tif 000004
【図３】
0003212821.tif 000005